(57)【要約】【課題】手提げ袋として使用する場合に小物を区分けして収納できる手提げ袋兼用正座椅子を提供する。【解決手段】長方形状の座板部１１の下面に脚板部１２、１２を該座板部１１の長手方向の対向する辺１１ａ、１１ａの内側に該辺１１ａ、１１ａとの間に間隙（ｓ）を設けたうえ長手方向の中央部に位置するように垂設した正座椅子本体１を、手提げ袋本体２に前記座板部１１の上面を該手提げ袋本体２の底部２１の内面に当接させて上下逆向きに嵌脱自在に収納して、前記正座椅子本体１の両脚板部１２、１２の間を主収納部（Ａ）に形成したうえ両脚板部１２、１２と手提げ袋本体２の胴部２２との間を副収納部（Ｂ）、（Ｂ）に形成した手提げ袋とするとともに、この手提げ袋を上下逆にして座板部１１が当接した袋本体２の底部２１の外面を座面とした正座椅子とする。【選択図】図１
0003141506.tif 000002
【実用新案登録請求の範囲】
【請求項１】
長方形状の座板部の下面に脚板部を該座板部の長手方向の対向する辺の内側に該辺との間に間隙を設けたうえ長手方向の中央部に位置するように垂設した正座椅子本体を、手提げ袋本体に前記座板部の上面を該手提げ袋本体の底部の内面に当接させて上下逆向きに嵌脱自在に収納して、前記正座椅子本体の両脚板部の間を主収納部に形成したうえ両脚板部と手提げ袋本体の胴部との間を副収納部に形成した手提げ袋とするとともに、この手提げ袋を上下逆にして座板部が当接した袋本体の底部の外面を座面とした正座椅子となるものとしたことを特徴とする手提げ袋兼用正座椅子。
【請求項２】
手提げ袋本体の表裏を反転して何れも表地側として使用できるものとした請求項１に記載の手提げ袋兼用正座椅子。
【請求項３】
手提げ袋本体の表裏を反転して何れも表地側として使用できるものとして、一方の表地側を法事等に相応しい柄よりなるものとした請求項１に記載の手提げ袋兼用正座椅子。
【請求項４】
正座椅子本体の両脚板部の少なくとも一方に、ポケット部を着脱自在に取り付けた請求項１又は２又は３に記載の手提げ袋兼用正座椅子。
【考案の詳細な説明】
【技術分野】
【０００１】
本考案は、携行時には手提げ袋として使用できるうえ、お茶会、法事等において正座する必要がある場合に足への負担を軽減して正座を行えることのできる正座椅子ともなる手提げ袋兼用正座椅子に関するうものである。
【背景技術】
【０００２】
正座椅子が用意されていないお茶会、法事等の会場に出かける場合に、携行に便宜な正座椅子を兼ねる手提げ袋として、図６に示すような座部１０１を中央に形成したリング状の底枠部１０２と該底枠部１０２と同一形状の上枠部１０３を複数の柱材１０４で連結した正座用枠体１００を、手提げ袋２００内に収納して、携行時には手提げ袋として使用して、お茶席などでは上下を逆にして正座椅子として使用するものがある。（例えば、特許文献１参照）
【０００３】
ところが、前記したものは、手提げ袋として使用する場合には収納部が正座用枠体１００の内側の１箇所で、小物を区分けして収納できる配慮がされていないものであり小物の出し入れに不便なものである。また、お茶会、法事等毎に相応しい柄のものを複数揃える必要もある。
【特許文献１】実公昭６３−３５６３０号公報
【考案の開示】
【考案が解決しようとする課題】
【０００４】
本考案は前記のような問題点を解決して、手提げ袋として使用する場合に小物を区分けして収納でき、また、お茶会や法事等の雰囲気の異なった場所に合った柄に変更できる手提げ袋兼用正座椅子を提供することを目的として完成されたものである。
【課題を解決するための手段】
【０００５】
本考案の手提げ袋兼用正座椅子は、長方形状の座板部の下面に脚板部を該座板部の長手方向の対向する辺の内側に該辺との間に間隙を設けたうえ長手方向の中央部に位置するように垂設した正座椅子本体を、手提げ袋本体に前記座板部の上面を該手提げ袋本体の底部の内面に当接させて上下逆向きに嵌脱自在に収納して、前記正座椅子本体の両脚板部の間を主収納部に形成したうえ両脚板部と手提げ袋本体の胴部との間を副収納部に形成した手提げ袋に形成するとともに、この手提げ袋を上下逆にして座板部が当接した袋本体の底部の外面を座面とした正座椅子となるものとしたことを特徴とするものを基本の考案とする。
【０００６】
そして、この考案において、手提げ袋本体の表裏を反転して何れも表地側として使用できるものとし、また、一方の表地側を法事等に相応しい柄よりなるものとしてもよい。さらに、正座椅子本体の両脚板部の少なくとも一方に、ポケット部を着脱自在に取り付けることが好ましいものである。
【考案の効果】
【０００７】
前記のような本考案は、手提げ袋本体内は嵌脱自在に収納した正座椅子本体が、長方形状の座板部の下面に脚板部を該座板部の長手方向の対向する辺の内側に該辺との間に間隙を設けたうえ長手方向の中央部に位置するように垂設したものであるから、手提げ袋本体内は両脚板部の間を主収納部に形成したうえ両脚板部と手提げ袋本体の胴部との間を副収納部に形成したものとなり、手提げ袋本体自体に加工を施すことなく、取り出し頻度の低い小物類を主収納部に、取り出し頻度の高く場所取ることのないティッシュペーパー、ハンカチ等を副収納部に区分けして収納できるものである。
【０００８】
そして、正座椅子として使用する場合には、上下を逆にすれば座板部が当接した袋本体の底部の外面を座面とした正座椅子となるものである。この場合に正座椅子本体の脚板部が長方形状の座板部の下面に長手方向の中央部に位置するように垂設したものであるから、脚板部の両側である座板部の長手方向の下方に足を入れる間隙を形成することができるものである。また、手提げ袋本体の胴部の上部を脚板部の間に折り込んで収めることができ体裁の良いものとなる。
【０００９】
また、手提げ袋本体の表裏を反転して何れも表地側として使用できるものとすれば、正座椅子本体が手提げ袋本体内に嵌脱自在であるので、正座椅子本体を外して手提げ袋本体の表裏を反転して会合に相応しい柄の表地で使用できるものである。特に一方の表地側を法事等に相応しい柄よりなるものとすれば、法事等で使用するものを別異に用意する必要もないものである。
【００１０】
さらに、正座椅子本体の両脚板部の少なくともその一方に、ポケット部を着脱自在に取り付ければ、貴重品等の収納に便宜なものとなる。
【考案を実施するための最良の形態】
【００１１】
次に、本考案の好ましい実施の形態を図面に基づき説明する。
１は正座椅子本体であり、該正座椅子本体１は図１、図３及び図４に示すように長方形状の座板部１１の下面に脚板部１２、１２を前記座板部１１の長手方向の対向する辺１１ａ、１１ａの内側に該辺１１ａ、１１ａとの間に間隙（ｓ）を設けて長手方向の中央部に位置するように垂設したものである。
【００１２】
２は手提げ袋本体であり、該手提げ袋本体２には前記正座椅子本体１が図１、図２に示すように座板部１１の上面を該手提げ袋本体２の底部内面２１に当接させて上下逆向きに嵌脱自在に収納されている。そして、前記正座椅子本体１の両脚板部１２、１２の間を主収納部（Ａ）に形成したうえ両脚板部１２、１２と手提げ袋本体２の胴部２２との間を副収納部（Ｂ）、（Ｂ）に形成している。
【００１３】
また、前記手提げ袋本体２は表裏を反転して何れも表地側として使用できるものとしており、正座椅子本体１が手提げ袋本体内２に嵌脱自在であるので、正座椅子本体１を外して手提げ袋本体２の表裏を反転すれば、会合に相応しい柄の表地で使用できるものである。特に一方の表地側を法事等に相応しい例えば黒色系統の無地や無彩色の柄ものような柄よりなるものとすれば、法事等で使用するものを別異に用意する必要もないものである。
【００１４】
さらに、図５に示すように正座椅子本体１の両脚板部１２、１２の少なくともその一方に、ポケット部３を背面に設けたゴムバンド、締結紐等の取付部材３１により着脱自在に取り付ければ、貴重品等の収納に便宜なものとなる。
【００１５】
このように構成されたものは、手提げ袋本体２内は嵌脱自在に収納した正座椅子本体１が、長方形状の座板部１１の下面に脚板部１２、１２を該座板部１１の長手方向の対向する辺１１ａ、１１ａの内側に該辺１１ａ、１１ａとの間に間隙（ｓ）を設けて長手方向の中央部に位置するように垂設したものであるから、手提げ袋本体２内は長手方向においては区分けされることなく横方向において両脚板部１２、１２の間を主収納部（Ａ）に形成したうえ両脚板部１２、１２と手提げ袋本体２の胴部２２との間を副収納部（Ｂ）、（Ｂ）に形成したものとなる。
【００１６】
そうする、図１、図２に示すようように手提げ袋本体２自体に加工を施すことなく、取り出し頻度の低い大き目の小物類を主収納部（Ａ）に、取り出し頻度の高く場所取ることのないティッシュペーパー、ハンカチ等を副収納部（Ｂ）、（Ｂ）に区分けして収納できるものである。
【００１７】
そして、正座椅子として使用する場合には、上下逆にすれば図３に示すように座板部１１が当接した手提げ袋本体２の底部２１の外面を座面とした正座椅子となるものである。この場合に正座椅子本体１の脚板部１２、１２が長方形状の座板部１１の下面に長手方向の中央部に位置するように垂設したものであるので、脚板部１２、１２の両側である座板部１１の長手方向の下方に足を入れる間隙を形成することができるものである。また、手提げ袋本体２の胴部２２の上部を脚板部１２、１２の間に折り込んで収めることができ体裁の良いものとなる。
【図面の簡単な説明】
【００１８】
【図１】本考案の実施形態を示す斜視図。
【図２】本考案の実施形態を示す断面図。
【図３】本考案の実施形態を正座椅子として示す斜視図。
【図４】本考案の実施形態に使用する正座椅子本体を示す斜視図。
【図５】本考案の実施形態に使用する正座椅子本体にポケット部を取り付けて示す斜視図。
【図６】従来例を示す一部切欠斜視図。
【符号の説明】
【００１９】
１  正座椅子本体
11  座板部
11a  座板部の長手方向の辺
12  脚板部
２  手提げ袋本体
21  手提げ袋本体の底部
22  手提げ袋本体の胴部
ｓ  間隙
(A)  主収納部
(B)  副収納部
【図１】
0003141506.tif 000003
【図２】
0003141506.tif 000004
【図３】
0003141506.tif 000005
【図４】
0003141506.tif 000006
【図５】
0003141506.tif 000007
【図６】
0003141506.tif 000008